【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
第１の色光及び当該第１の色光とは波長が異なる第２の色光を含む色光を発する光源ユニットと、
前記第１の色光が入射する第１の画像変調素子と、
前記第２の色光が入射する第２の画像変調素子と、
前記第１の画像変調素子を冷却する第１の冷却部と、
前記第２の画像変調素子を冷却する第２の冷却部と、
前記第１の画像変調素子の温度を検出する第１の温度検出部と、
前記第２の画像変調素子の温度を検出する第２の温度検出部と、
前記第１の温度検出部による検出結果に基づいて、前記第１の画像変調素子が所定の温度となるように前記第１の冷却部を制御するとともに、前記第１の温度検出部及び第２の温度検出部の検出結果に基づいて、前記第１の画像変調素子と前記第２の画像変調素子との間の温度差が所定の温度範囲内になるように前記第２の冷却部を制御する制御部と、を備える、
ことを特徴とする画像表示装置。
【請求項２】
前記第１の色光は緑色光である
ことを特徴とする請求項１に記載の画像表示装置。
【請求項３】
前記制御部は、前記第２の画像変調素子の温度を、前記第１の画像変調素子の温度よりも低くなるように前記第２の冷却部を制御する
ことを特徴とする請求項２に記載の画像表示装置。
【請求項４】
前記第１の画像変調素子と第２の画像変調素子との間の温度差をＴ１−２とするとき、
２＜Ｔ１−２＜１０
を満足するように前記制御部は前記第２の冷却部を制御する、
ことを特徴とする請求項２または３に記載の画像表示装置。
【請求項５】
前記光源ユニットは、前記第１の色光及び前記第２の色光と波長が異なる第３の色光も含んでおり、
当該第３の色光が入射する第３の画像変調素子と、
前記第３の画像変調素子を冷却する第３の冷却部と、
前記第３の画像変調素子の温度を検出する第３の温度検出部と、
をさらに備える前記画像表示装置であって、
前記制御部は、前記第１の温度検出部及び前記第３の温度検出部による検出結果に基づいて、前記第１の画像変調素子と前記第３の画像変調素子との間の温度差が所定の温度範囲内になるように前記第３の冷却部を制御する
ことを特徴とする請求項２乃至４のいずれか１項に記載の画像表示装置。
【請求項６】
前記第２の色光は、赤色光であり、前記第３の色光は、青色光であるときに、
前記制御部は、前記第１の画像変調素子、前記第３の画像変調素子、前記第２の画像変調素子の順に温度が高い状態を維持するように前記第１乃至第３の冷却部を制御する
ことを特徴とする請求項５に記載の画像表示装置。
【請求項７】
前記制御部は、前記光源ユニットが点灯してから所定時間経過した後に、前記第１の画像変調素子が所定の温度となるような前記第１の冷却部の制御を行い、さらに、
前記光源ユニットが点灯してから所定時間経過した後に、前記第１の画像変調素子と前記第２の画像変調素子との間の温度差が所定の温度範囲内になるような前記第２の冷却部の制御を行う、
ことを特徴とする請求項１乃至６のいずれか１項に記載の画像表示装置。
【請求項８】
前記制御部は、前記光源ユニットが点灯してから前記第１の画像変調素子の温度が所定の温度を超えた後に、前記第１の画像変調素子が所定の温度となるような前記第１の冷却部の制御を行い、さらに、
前記光源ユニットが点灯してから前記第１の画像変調素子及び前記第２の画像変調素子との間の温度差が所定値を超えた後に、前記第１の画像変調素子と前記第２の画像変調素子との間の温度差が所定の温度範囲内になるような前記第２の冷却部の制御を行う、
ことを特徴とする請求項１乃至６のいずれか１項に記載の画像表示装置。
【請求項９】
前記第１の冷却部及び前記第２の冷却部は冷却ファンであり、
前記制御部は、前記冷却ファンの回転数を制御することで、冷却部の制御を行う、
ことを特徴とする請求項１乃至８のいずれか１項に記載の画像表示装置。
【請求項１０】
前記光源ユニットは、
励起光源ユニットと、
前記励起光源ユニットからの励起光の一部を前記励起光とは波長が異なる蛍光光に変換するとともに、前記蛍光光と前記励起光と波長が同じ非変換光を発する蛍光体ユニットと、を備える、
ことを特徴とする請求項１乃至９のいずれか１項に記載の画像表示装置。
【請求項１１】
前記励起光源ユニットは青色光を発する固体光源を含み、
前記蛍光体ユニットは、緑色光及び赤色光を発する黄色蛍光体を含む、
ことを特徴とする請求項１０に記載の画像表示装置。
【請求項１２】
第１の色光が入射する第１の画像変調素子と、前記第１の色光とは波長が異なる第２の色光が入射する第２の画像変調素子と、前記第１の画像変調素子を冷却する第１の冷却部と、前記第２の画像変調素子を冷却する第２の冷却部と、前記第１の画像変調素子の温度を検出する第１の温度検出部と、前記第２の画像変調素子の温度を検出する第２の温度検出部と、を備える画像表示装置の制御方法であって、
前記第１の温度検出部による検出結果に基づいて、前記第１の画像変調素子を、所定の温度となるように前記第１の冷却部で冷却する第１冷却工程と、
前記第１の温度検出部及び前記第２の温度検出部の検出結果に基づいて、前記第２の画像変調素子を、前記第１の画像変調素子と前記第２の画像変調素子との間の温度差が所定の温度範囲内になるように前記第２の冷却部で冷却する第２冷却工程と、を備える、
ことを特徴とする制御方法。
【請求項１３】
前記第１冷却工程は、前記第１の色光及び前記第２の色光を含む色光を発する光源ユニットが点灯してから第１の所定時間経過した後に行われ、
前記第２冷却工程は、前記光源ユニットが点灯してから第２の所定時間経過した後に行われる
ことを特徴とする請求項１２に記載の制御方法。
【請求項１４】
前記第１冷却工程は、前記第１の色光及び前記第２の色光を含む色光を発する光源ユニットが点灯してから前記第１の画像変調素子の温度が所定の温度を超えた後に行われ、
前記第２冷却工程は、前記光源ユニットが点灯してから前記第１の画像変調素子と前記第２の画像変調素子との間の温度差が所定値を超えた後に行われる
ことを特徴とする請求項１２に記載の制御方法。
【手続補正２】
【補正対象書類名】明細書
【補正対象項目名】発明の名称
【補正方法】変更
【補正の内容】
【発明の名称】画像表示装置及びこれを用いた画像表示システム、及び画像表示装置の制御方法
【手続補正３】
【補正対象書類名】明細書
【補正対象項目名】０００７
【補正方法】変更
【補正の内容】
【０００７】
そこで、本発明は、画像変調素子を冷却可能であるとともに、従来よりも画質を向上させることが可能な画像表示装置及びこれを用いた画像表示システム、及び画像表示装置の制御方法を提供することを目的とする。
【手続補正４】
【補正対象書類名】明細書
【補正対象項目名】０００８
【補正方法】変更
【補正の内容】
【０００８】
上記目的を達成するために、本発明の画像表示装置は、
第１の色光及び当該第１の色光とは波長が異なる第２の色光を含む色光を発する光源ユニットと、
前記第１の色光が入射する第１の画像変調素子と、
前記第２の色光が入射する第２の画像変調素子と、
前記第１の画像変調素子を冷却する第１の冷却部と、
前記第２の画像変調素子を冷却する第２の冷却部と、
前記第１の画像変調素子の温度を検出する第１の温度検出部と、
前記第２の画像変調素子の温度を検出する第２の温度検出部と、
前記第１の温度検出部による検出結果に基づいて、前記第１の画像変調素子が所定の温度となるように前記第１の冷却部を制御するとともに、前記第１の温度検出部及び第２の温度検出部の検出結果に基づいて、前記第１の画像変調素子と前記第２の画像変調素子との間の温度差が所定の温度範囲内になるように前記第２の冷却部を制御する制御部と、を備える、
ことを特徴とする。
【手続補正５】
【補正対象書類名】明細書
【補正対象項目名】０００９
【補正方法】変更
【補正の内容】
【０００９】
本発明によれば、画像変調素子を冷却可能であるとともに、従来よりも画質を向上させることが可能な画像表示装置及びこれを用いた画像表示システム、及び画像表示装置の制御方法を提供することができる。